(57)【要約】【課題】ハウジングに設けられた両開き式のカバーの隙間から露出するケーブルに伸ばす力が加えられたときにカバーが容易に開かない電気コネクタを提供する。【解決手段】電気コネクタ１００は、ケーブル５１を外部に露出する開口が設けられたハウジング１０と、開口を介在して対向するハウジング１０の端部に一端が揺動可能に接続された両開き式のカバー２０，３０と、を備えている。カバー２０の他端に設けられた第一係部２０ａと、カバー３０の他端に設けられた第二係部３０ａとが、カバー２０，３０が閉じ状態のときに重なり係合することで、他端同士の遠離を規制する第一係合部Ｊ１が形成される。ケーブル５１に伸ばす力が加えられたときに当接部１６に当接することにより、ケーブル５１から当接部１６与えられる力を、第一係部２０ａが第二係部３０ａを押す力にして、第一係合部Ｊ１による他端同士の遠離の規制を維持する。【選択図】図９
2017107700.tif 000002
【特許請求の範囲】
【請求項１】
内部に配置された端子に接続されたケーブルを外部に露出する開口が設けられたハウジングと、
前記開口を介在して対向する前記ハウジングの端部のそれぞれに一端が揺動可能に接続され、他端が開放された一対の板状の部材であり、前記他端同士が近接した閉じ状態のとき、前記開口から規定の距離を隔てて前記他端同士を配置する、前記開口を覆う両開き式のカバーと、
を備える電気コネクタであって、
一方の前記カバーの他端に設けられ、前記カバーが閉じ状態のときに前記開口の近傍に位置する第一係部と、他方の前記カバーの他端に設けられ、前記カバーが閉じ状態のときに前記第一係部よりも前記開口から離れて位置する第二係部とを有し、前記第一係部と前記第二係部とが前記カバーが閉じ状態のときに重なり係合することで、前記第一係部が前記第二係部を押す力による前記他端同士の遠離を規制する係合部と、
前記係合部による前記他端同士の遠離が規制されたときに前記開口に面する前記第一係部に設けられた部材であり、前記閉じ状態のカバーの隙間から外部に露出して前記カバーに沿って延びた前記ケーブルに、そのケーブルを伸ばす力が加えられたときに当接することで、前記ケーブルから与えられる力を、前記第一係部が前記第二係部を押す力にして、前記係合部による前記他端同士の遠離の規制を維持する当接部と、
を備えた電気コネクタ。
【請求項２】
前記第二係部は、凹状の孔部を備え、
前記第一係部は、前記第二係部との係合の際に前記孔部の内壁に当接し、前記孔部からの離脱を規制する鉤状の突起部を備えている、
請求項１に記載の電気コネクタ。
【請求項３】
前記第一係部には、前記突起部に連設され、前記第二係部との係合の際に前記孔部を前記突起部に向けて誘導する斜面が設けられている、
請求項２に記載の電気コネクタ。
【請求項４】
前記カバーのそれぞれは、
前記ハウジングの端部に一端が接続され、他端が開放された板状の第一板部と、
前記第一板部の開放された他端に一端が接続され、前記第一板部と平行をなさない板状の第二板部と、を備え、
一方の前記第二板部には、その他端に前記第一係部が設けられ、
他方の前記第二板部には、その他端に前記第二係部が設けられている、
請求項１〜３のいずれか１項に記載の電気コネクタ。
【請求項５】
前記係合部は、前記開口に面する位置に配置された第一係合部と、前記開口に面しない位置に配置された第二係合部と、からなる、
請求項１〜４のいずれか１項に記載の電気コネクタ。
【請求項６】
前記第一係合部は、前記ハウジングにおけるそれぞれの端部のうち、いずれかの端部の側に寄せて配置されている、
請求項５に記載の電気コネクタ。
【発明の詳細な説明】
【技術分野】
【０００１】
本発明は、ハウジング本体に収容された導電端子に接続され、ハウジングから露出するケーブルを覆うカバーがハウジングと一体的に形成された構造を有する電気コネクタに関する。
【背景技術】
【０００２】
図１１，図１２に示すように、従来の電気コネクタ２００は、複数の端子収容室２０１を有するハウジング２１０と、ハウジング２１０の背面側の露出面２１１の部分を開閉可能に覆う一対のカバー２３１，２３２と、を備えている。カバー２３１，２３２は、露出面２１１をその面方向に沿って挟んだ位置に設けられた一対のヒンジ部２３０を介して両開きドア状に回動可能である。
【０００３】
カバー２３１の背面及び上面にはそれぞれ突起部２３３，２３５が設けられ、カバー２３２の上面及び背面にはそれぞれ孔部２３４，２３６が開設されている。ヒンジ部２３０を中心にして、カバー２３１，２３２を互いに接近するように回動させ、カバー２３１の突起部２３３，２３５を、それぞれカバー２３２の孔部２３４，２３６に嵌入させると、カバー２３１，２３２が閉じ状態を保つようにロックされる。
【０００４】
図１２に示すように、閉じ状態にあるカバー２３１，２３２の背面部分と、ハウジング２１０の露出面２１１との間には、露出面２１１から露出する複数のケーブル２５０を収容可能なスペースが形成されている。閉じ状態にあるカバー２３１，２３２の下面側には、ハウジング２１０の露出面２１１から露出するケーブル２５０が挿通可能な隙間であるケーブル挿通口２３７が形成されている。
【０００５】
図１２に示すように、ケーブル２５０が接続された導電端子（図示せず）を露出面２１１側から端子収容室２０１（図１１参照）に挿入した後、カバー２３１，２３２を閉止して、カバー２３１の突起部２３３，２３５を、それぞれカバー２３２の孔部２３４，２３６に嵌入させてロックすると、ケーブル付きの電気コネクタ３００が形成される。
【０００６】
一方、本発明に関連する従来技術として、例えば、特許文献１に記載された「保護カバー」あるいは特許文献２に記載された「電線カバー付きコネクタ」などがある。
【０００７】
特許文献１に記載された「保護カバー」は、相手方コネクタに接続される接続端子を収容するとともに、接続端子に接続された電線をハウジングの端部から導出するコネクタを覆う保護カバーである。この保護カバーにおいては、ハウジングに着脱自在に嵌合される筒状のカバー本体と、カバー本体の端部にヒンジを介して開閉自在に設けられた一対の開閉部材と、開閉部材を閉じたとき、カバー本体の一端に開閉部材を係止する第１の係止部材と、開閉部材同士を係止する第２の係止部材と、が設けられている。
【０００８】
特許文献２に記載された「電線カバー付きコネクタ」は、電線の端末に圧着された端子金具を収容するコネクタハウジングの電線引き出し面に電線カバーが取り付けられたものである。また、電線カバーと電線引き出し面の少なくともいずれか一方の側から、相手側へ向けて連結用の突部が突出形成されている。電線カバーがコネクタハウジングに取り付けられた状態では、突部はその対向部と互いに突き合わせ状態となる突き合わせ部をもって係合する。突部の突き合わせ部には、電線の噛み込みを防止するための斜面が形成されている。
【先行技術文献】
【特許文献】
【０００９】
【特許文献１】特開２００２−２５６８４号公報
【特許文献２】特許第３３２２１４１号公報
【発明の概要】
【発明が解決しようとする課題】
【００１０】
図１２に示す従来の電気コネクタ３００において、ケーブル挿通口２３７から露出するケーブル２５０に対し、当該ケーブル２５０を伸ばす力（矢線Ｚ方向の引張り力（ケーブル２５０を電気コネクタ３００の後ろ斜め上方に引き上げるような力））が作用すると、閉じ状態にあるカバー２３１，２３２が開く可能性がある。
【００１１】
その理由は、ケーブル２５０に対して矢線Ｚ方向の力が作用すると、カバー２３１，２３２のケーブル挿通口２３７付近に位置するケーブル２５０の一部が、一方のカバー２３２のケーブル受け面２３８（図１１参照）に接触し、ケーブル受け面２３８が電気コネクタ３００の背面側へ引っ張られることにより、突起部２３３から孔部２３６を引き離すような力（図１２中の矢印Ｙで示す力）が生じ、ロック機構が解除されるからである。
【００１２】
このような問題は特許文献１に記載された「保護カバー」あるいは特許文献２に記載された「電線カバー付きコネクタ」などにおいても同様に発生する可能性が高く、その対応策が求められている。
【００１３】
そこで、本発明が解決しようとする課題は、ハウジングに設けられた両開き式のカバーの隙間から露出するケーブルに伸ばす力が加えられたときにカバーが容易に開かない電気コネクタを提供することにある。
【課題を解決するための手段】
【００１４】
本発明の電気コネクタは、
内部に配置された端子に接続されたケーブルを外部に露出する開口が設けられたハウジングと、
前記開口を介在して対向する前記ハウジングの端部のそれぞれに一端が揺動可能に接続され、他端が開放された一対の板状の部材であり、前記他端同士が近接した閉じ状態のとき、前記開口から規定の距離を隔てて前記他端同士を配置する、前記開口を覆う両開き式のカバーと、を備える電気コネクタであって、
一方の前記カバーの他端に設けられ、前記カバーが閉じ状態のときに前記開口の近傍に位置する第一係部と、他方の前記カバーの他端に設けられ、前記カバーが閉じ状態のときに前記第一係部よりも前記開口から離れて位置する第二係部とを有し、前記第一係部と前記第二係部とが前記カバーが閉じ状態のときに重なり係合することで、前記第一係部が前記第二係部を押す力による前記他端同士の遠離を規制する係合部と、
前記係合部による前記他端同士の遠離が規制されたときに前記開口に面する前記第一係部に設けられた部材であり、前記閉じ状態のカバーの隙間から外部に露出して前記カバーに沿って延びた前記ケーブルに、そのケーブルを伸ばす力が加えられたときに当接することで、前記ケーブルから与えられる力を、前記第一係部が前記第二係部を押す力にして、前記係合部による前記他端同士の遠離の規制を維持する当接部と、を備えたことを特徴とする。
【００１５】
このような構成とすれば、閉じ状態のカバーの隙間から外部に露出してカバーに沿って延びたケーブルに、そのケーブルを伸ばす力が加えられたとき、ケーブルが当接部に当接することにより、ケーブルから当接部に与えられる力は、第一係部が第二係部を押す力となり、係合部による他端同士の遠離の規制を維持するので、カバーが容易に開くのを阻止することができる。
【００１６】
ここで、前記第二係部は、凹状の孔部を備え、
前記第一係部は、前記第二係部との係合の際に前記孔部の内壁に当接し、前記孔部からの離脱を規制する鉤状の突起部を備えていることが望ましい。
【００１７】
このような構成とすれば、カバーが閉じ状態にあるとき、第一係部の突起部と、第二係部の孔部と、が緊密に係合されるので、カバーの隙間から外部に露出するケーブルに伸ばす力が加えられたときのカバーの開きを阻止する機能が向上する。
【００１８】
また、前記第一係部には、前記突起部に連設され、前記第二係部との係合の際に前記孔部を前記突起部に向けて誘導する斜面が設けられていることが望ましい。
【００１９】
このような構成とすれば、カバーを閉じる過程において、第一係部の突起部と、第二係部の孔部と、を係合させるとき、孔部は斜面の作用により突起部に向けて誘導されるので、スムーズな係合を実現することができる。
【００２０】
さらに、前記カバーのそれぞれは、
前記ハウジングの端部に一端が接続され、他端が開放された板状の第一板部と、
前記第一板部の開放された他端に一端が接続され、前記第一板部と平行をなさない板状の第二板部と、を備え、
一方の前記第二板部には、その他端に前記第一係部が設けられ、
他方の前記第二板部には、その他端に前記第二係部が設けられていることが望ましい。
【００２１】
このような構成とすれば、ハウジングの開口部分及び開口から露出するケーブルを確実に覆うことができ、開閉も容易なカバーを形成することができる。
【００２２】
また、前記係合部は、前記開口に面する位置に配置された第一係合部と、前記開口に面しない位置に配置された第二係合部と、からなることが望ましい。
【００２３】
このような構成とすれば、両開き式のカバーは、互いに異なる位置に配置された第一係合部及び第二係合部によって係合されるので、閉じ状態を確実に維持することができる。
【００２４】
前記第一係合部は、前記ハウジングにおけるそれぞれの端部のうち、いずれかの端部の側に寄せて配置されていることが望ましい。
【００２５】
このような構成とすれば、閉じ状態にあるカバーの隙間から外部に露出したケーブルに伸ばす力が加えられたとき、ケーブルから当接部に与えられる力を、より有効に第一係部が第二係部を押す力に変換することが可能となるので、第一係合部によるカバーの他端同士の遠離の規制を維持する作用が高まり、カバーの開き防止機能が向上する。
【発明の効果】
【００２６】
本発明により、ハウジングに設けられた両開き式のカバーの隙間から露出するケーブルに伸ばす力が加えられたときにカバーが容易に開かない電気コネクタを提供することができる。
【図面の簡単な説明】
【００２７】
【図１】本発明の実施形態である電気コネクタがカバー開き状態にあるときの平面、右側面及び背面を示す斜視図である。
【図２】図１に示す電気コネクタの底面、右側面及び背面を示す斜視図である。
【図３】図１に示す電気コネクタの右側面図である。
【図４】図１に示す電気コネクタがカバー閉じ状態にあるときの底面、左側面及び背面を示す斜視図である。
【図５】図１に示す電気コネクタのハウジングにケーブル付きの端子が収容された状態にあるときの平面、右側面及び背面を示す斜視図である。
【図６】図５に示す電気コネクタの背面図である。
【図７】図５に示す電気コネクタがカバー閉じ状態にあるときの平面、右側面及び背面を示す斜視図である。
【図８】図７に示す電気コネクタにおいてケーブルに伸ばす力が加えられたときの右側面図である。
【図９】図８に示す電気コネクタの底面、左側面及び背面を示す斜視図である。
【図１０】図９中の矢線Ａで示す部分の拡大斜視図である。
【図１１】従来の電気コネクタがカバー開き状態にあるときの平面、右側面及び背面を示す斜視図である。
【図１２】図１１に示す電気コネクタのハウジングにケーブル付きの端子が収容され、カバー閉じ状態にあるときの底面、左側面及び背面を示す斜視図である。
【発明を実施するための形態】
【００２８】
以下、図１〜図１０に基づいて、本発明の実施形態である電気コネクタ１００について説明する。図１〜図７に示すように、本実施形態の電気コネクタ１００は、端子５０を収容する複数の端子収容室１２を有するハウジング１０と、ハウジング１０の背面部分を開閉可能に覆う両開き式のカバー２０，３０と、を備えている。ハウジング１０の背面部分に位置する露出面１１には、端子収容室１２に収容された端子５０に接続されたケーブル５１を外部に露出させる複数の開口１２ａが設けられている。板状の部材であるカバー２０，３０の一端は、ハウジング１０の露出面１１をその面方向に沿って挟んだ位置に互いに対向するように形成されたヒンジ部２１，３１を介して、それぞれハウジング１０に接続されている。
【００２９】
ハウジング１０に設けられた複数の端子収容室１２はハウジング１０の前後方向（矢線Ｘ方向）に沿ってハウジング１０を貫通した形状である。各端子収容室１２の後端部分がそれぞれ開口１２ａとして露出面１１に現れている。ヒンジ部２１，３１は、ハウジング１０の側面からハウジング１０の後方に向かって延びるように形成された帯板状の部材であり、その厚み方向に折曲可能な可撓性を有している。
【００３０】
一対のカバー２０，３０はそれぞれヒンジ部２１，３１を中心に矢線２０Ｒ，３０Ｒ方向に揺動可動である。カバー２０，３０を矢線２０Ｒ，３０Ｒ方向に揺動させることにより、カバー２０，３０は、ハウジング１０の露出面１１の後方部分を覆うように閉止したり、開放したりすることができる。
【００３１】
一方のカバー２０の他端には、カバー２０，３０が閉じ状態のときに開口１２ａの近傍に位置する第一係部２０ａが設けられ、他方のカバー３０の他端には、カバー２０，３０が閉じ状態のときに第一係部２０ａよりも開口１２ａから離れて位置する第二係部３０ａが設けられている。
【００３２】
カバー２０，３０が閉じ状態にあるとき、第一係部２０ａと第二係部３０ａとが重なり係合することにより、第一係部２０ａが第二係部３０ａを押す力による他端同士の遠離を規制する第一係合部Ｊ１（図７参照）が形成される。図４，図７に示すように、第一係合部Ｊ１は、ハウジング１０の露出面１１の開口１２ａに面する位置に配置されている。また、第一係合部Ｊ１は、ハウジング１０の両側端部のうち、カバー３０が存在する側端部の側に寄せて配置されている、
【００３３】
第一係合部Ｊ１によりカバー２０，３０の他端同士の遠離が規制されたときに、露出面１１の開口１２ａに面する第一係部２０ａに当接部１６が設けられている。図８〜図１０に示すように、閉じ状態にあるカバー２０，３０の隙間１３から外部に露出してカバー２０，３０に沿って延びたケーブル５１に対し、ケーブル５１を伸ばす力が加えられると、ケーブル５１が当接部１６に当接する。このとき、ケーブル５１から当接部１６に与えられる力は、第一係部２０ａが第二係部３０ａを押す力となり、第一係合部Ｊ１によるカバー２０，３０の他端同士の遠離の規制が維持される。
【００３４】
図１，図２に示すように、カバー３０の第二係部３０ａは凹状の孔部３３を備え、カバー２０の第一係部２０ａは、カバー３０の第二係部３０ａとの係合の際に孔部３３の内壁３３ｂに当接し、孔部３３からの離脱を規制する鉤状の突起部２３を備えている。カバー２０の第一係部２０ａの突起部２３には、カバー３０の第二係部３０ａとの係合の際に孔部３３を突起部２３に向けて誘導する斜面２３ａが連設されている。第一係合部Ｊ１が係合状態にあるとき、突起部２３の係合面２３ｂが孔部３３の内壁３３ｂに当接している。
【００３５】
カバー２０は、ハウジング１０の端部のヒンジ部２１に一端が接続され、他端が開放された板状の第一板部２０ｘと、第一板部２０ｘの開放された他端に一端が接続され、第一板部２０ｘと直角をなす（平行をなさない）板状の第二板部２０ｙと、を備えている。第二板部２０ｙの他端に第一係部２０ａが設けられている。
【００３６】
カバー３０は、ハウジング１０の端部のヒンジ部３１に一端が接続され、他端が開放された板状の第一板部３０ｘと、第一板部３０ｘの開放された他端に一端が接続され、第一板部３０ｘと直角をなす（平行をなさない）板状の第二板部３０ｙと、を備えている。第二板部３０ｙの他端に第二係部３０ａが設けられている。
【００３７】
図７，図９に示すように、ハウジング１０の露出面１１の開口１２ａに面しない位置（閉じ状態のカバー２０，３０の隙間１３に対向する位置）に第二係合部Ｊ２が設けられている。図７に示すように、第二係合部Ｊ２は、ハウジング１０の両側端部の中央付近、即ち、カバー２０，３０の第一板部２０ｘ，３０ｘから略等距離の位置に配置されている。
【００３８】
第二係合部Ｊ２は、カバー２０に設けられた突起部２２と、カバー３０に設けられた凹状の孔部３２と、で形成されている。カバー２０，３０が閉じ状態にあるとき、カバー２０の突起部２２の係合面２２ｂは、カバー３０の孔部３２の内壁３２ｂに当接し、孔部３３からの離脱を規制している。カバー２０の突起部２２には、カバー３０の孔部３３との係合の際に孔部３２を突起部２２に向けて誘導する斜面２２ａが連設されている。第二係合部Ｊ２が係合状態にあるとき、突起部２２の係合面２２ｂが、孔部３２の内壁３２ｂに当接している。
【００３９】
図１，図２に示す状態にあるハウジング１０において、ヒンジ部２１，３１を中心に、カバー２０，３０を互いに接近するように回動させ、カバー３０の孔部３２，３３がそれぞれカバー２０の突起部２２，２３の上に乗り上がるように力を加えると、突起部２２，２３がそれぞれ孔部３２，３３に嵌入する。このとき、孔部３２，３３の周縁部３２ａ，３３ａがそれぞれ突起部２２，２３の傾斜面２２ａ，２３ａに沿ってスライドし、このスライド過程中に、孔部３２，３３の周辺領域及び突起部２２，２３の周辺領域が厚み方向に弾性変形するので、孔部３２，３３に対し、突起部２２，２３はスムーズに嵌入する。
【００４０】
カバー２０の突起部２２，２３がそれぞれカバー３０の孔部３２，３３に嵌入すると、その瞬間に突起部２２，２３及び孔部３２，３３は弾性復元力によって元の状態に戻り、図４に示すように、突起部２２，２３の係合面２２ｂ，２３ｂがそれぞれ孔部３２，３３の内壁３２ｂ，３３ｂに当接係合し、ケーブルカバー２０，３０が閉止状態を保つようにロックされる。
【００４１】
図４に示すように閉じ状態にあるカバー２０，３０の背面部分（第一係合部Ｊ１がある面）と、ハウジング本体１０の露出面１１と、の間には、図５，図６に示すように、露出面１１から露出する複数のケーブル５１を収容可能なスペースＳが形成されている。スペースＳは、互いに係合したカバー２０，３０によって包囲されている。閉じ状態にあるカバー２０，３０の下面側にはハウジング本体１０の露出面１１から露出する複数のケーブル５１が挿通可能な隙間１３が形成されている。また、カバー２０，３０が閉じ状態にあるとき、ヒンジ部２１，３１と、ハウジング１０の左右側面の露出面１１寄りの部分との間には、それぞれ隙間１４（図４参照）が形成されている。
【００４２】
図５，図６に示すように、ケーブル５１が接続された端子５０（図６参照）をハウジング１０の露出面１１の開口１２ａから端子収容室１２内に挿入し、この後、カバー２０，３０を閉じて、カバー２０の突起部２２，２３をカバー３０の孔部３２，３３に嵌入させると、図７に示す、ケーブル５１付きの電気コネクタ１５０が形成される。
【００４３】
図８〜図１０に示すように、電気コネクタ１５０において、閉じ状態にあるカバー２０，３０の隙間１３から外部に露出して、カバー２０，３０に沿って延びたケーブル５１に対し、当該ケーブル５１を伸ばす力が加えられると、ケーブル５１が当接部１６に当接する。このとき、ケーブル５１から当接部１６に与えられる力は、第一係部２０ａが第二係部３０ａを押す力となり、第一係合部Ｊ１によるカバー２０，３０の他端同士の遠離の規制が維持されるので、カバー２０，３０が容易に開くのを阻止することができる。
【００４４】
第二係部３０ａは、凹状の孔部３３を備え、第一係部２０ａは、第二係部３０ａとの係合の際に孔部３３の内壁３３ｂに当接し、孔部３３からの離脱を規制する鉤状の突起部２３を備えている。従って、カバー２０，３０が閉じ状態にあるとき、第一係部２０ａの突起部２３と、第二係部３０ａの孔部３３と、が緊密に係合され、カバー２０，３０の隙間１３から外部に露出するケーブル５１に伸ばす力が加えられたときのカバー２０，３０の開きを有効に阻止することができる。
【００４５】
また、カバー２０の突起部２２，２３には、カバー２０，３０を閉じるとき、カバー３０の孔部３２，３３を突起部２２，２３に向けて誘導する斜面２２ａ，２３ａが連設されている。従って、カバー２０，２０を閉じる過程において、突起部２２，２３と、孔部３２，３３と、を係合させるとき、孔部３２，３３は、斜面２２ａ，２３ａの作用によって突起部２２，２３に向けて誘導されるので、スムーズな係合を実現することができる。
【００４６】
前述したように、カバー２０は、ハウジング１０の端部のヒンジ部２１に一端が接続され、他端が開放された板状の第一板部２０ｘと、第一板部２０ｘの開放された他端に一端が接続され、第一板部２０ｘと直角をなす（平行をなさない）板状の第二板部２０ｙと、を備え、第二板部２０ｙの他端に第一係部２０ａが設けられている。
【００４７】
また、カバー３０は、ハウジング１０の端部のヒンジ部３１に一端が接続され、他端が開放された板状の第一板部３０ｘと、第一板部３０ｘの開放された他端に一端が接続され、第一板部３０ｘと直角をなす（平行をなさない）板状の第二板部３０ｙと、を備え、第二板部３０ｙの他端に第二係部３０ａが設けられている。
【００４８】
このような構成としたことにより、ハウジング１０の露出面１１（複数の開口１２ａがある部分）及び開口１２ａから露出する複数のケーブル５１を確実に覆うことができ、カバー２０，３０開閉操作も容易である。
【００４９】
また、カバー２０，３０の係合部として、開口１２ａに面する位置に配置された第一係合部Ｊ１と、開口１２ａに面しない位置（カバー２０，３０の隙間１３と対向する位置）に配置された第二係合部Ｊ２と、を設けている。
【００５０】
従って、閉じ状態にある両開き式のカバー２０，３０は、互いに異なる位置に配置された第一係合部Ｊ１及び第二係合部Ｊ２によって係合されることとなり、閉じ状態を確実に維持することができる。
【００５１】
また、第一係合部Ｊ１を、ハウジング１０においてカバー３０が存在する側に寄せて配置したことにより、閉じ状態にあるカバー２０，３０の隙間１３から外部に露出したケーブル５１に伸ばす力が加えられたとき、ケーブル５１から当接部１６に与えられる力を、有効に第一係部２０ａが第二係部３０ａを押す力にすることができる。このため、第一係合部Ｊ１によるカバー２０，３０の他端同士の遠離の規制を維持する作用が高まり、カバー２０，３０の開き防止機能が向上する。
【００５２】
なお、図１〜図１０に基づいて説明した電気コネクタ１００，１５０は、本発明を例示するものであり、本発明の電気コネクタは、前述した電気コネクタ１００，１５０に限定されない。
【産業上の利用可能性】
【００５３】
本発明の電気コネクタは、自動車産業や各種電気機器産業の分野において広く利用することができる。
【符号の説明】
【００５４】
１０  ハウシング
１１  露出面
１２  端子収容室
１２ａ  開口
１３，１４  隙間
１６  当接部
２０，３０  カバー
２０ａ  第一係部
２０ｘ，３０ｘ  第一板部
２０ｙ，３０ｙ  第二板部
２１，３１  ヒンジ部
２２，２３  突起部
２２ａ，２３ａ  斜面
２２ｂ，２３ｂ  係合面
３０ａ  第二係部
３２，３３  孔部
３２ａ，３３ａ  周縁部
３２ｂ，３３ｂ  内壁
５０  端子
５１  ケーブル
１００，１５０  電気コネクタ
Ｊ１  第一係合部（係合部）
Ｊ２  第二係合部（係合部）
Ｓ  スペース
【図１】
2017107700.tif 000003
【図２】
2017107700.tif 000004
【図３】
2017107700.tif 000005
【図４】
2017107700.tif 000006
【図５】
2017107700.tif 000007
【図６】
2017107700.tif 000008
【図７】
2017107700.tif 000009
【図８】
2017107700.tif 000010
【図９】
2017107700.tif 000011
【図１０】
2017107700.tif 000012
【図１１】
2017107700.tif 000013
【図１２】
2017107700.tif 000014